(57)【要約】      （修正有）【課題】釣りあげた魚の口に掛った釣針を魚体に触れることなく、安全で迅速且つ容易で確実に外すことができる釣針外し具を提供する。【解決手段】棒状の把手４の先端側に把手４の長軸方向と角度をもって軸６を突出して設け、この軸の先端６ａ側には釣針および釣糸を掛けることができる凹部を有する糸掛け１を設け、この糸掛けの凹部１ａの開放側は軸の先端６ａ方向を向いており、さらに、軸６には、軸の先端６ａと付け根６ｂの間に釣針および釣糸を掛けることができる凹部を有する針掛け２を設け、かつ、この針掛けの凹部２ａの開放側は軸の先端６ａ方向とは逆方向を向いて設け、把手４の先端側には凹部を有する糸案内３と糸止め７を設けた釣針外し具である。【選択図】図１
2012157318.tif 000002
【特許請求の範囲】
【請求項１】
棒状の把手を備え、この把手の長軸方向と角度をもって軸を突出して設け、この軸の先端側には釣針および釣糸を掛けることが可能な凹部を有する糸掛けを設け、かつ、この糸掛けの凹部の開放側は前記軸の先端方向を向いており、さらに、前記軸には、前記軸の先端と付け根の間に釣針および釣糸を掛けることが可能な凹部を有する針掛けを設け、かつ、この針掛けの凹部の開放側は前記軸の先端方向とは逆方向を向いて設けていることを特徴とする釣針外し具。
【請求項２】
前記把手の先端側位置、または、前記軸の付け根側位置に、釣糸を掛けることが可能な糸案内を設けることを特徴とする請求項１記載の釣針外し具。
【請求項３】
前記把手の先端側位置、または、前記軸の付け根側位置に、釣糸を固定することができる糸止めを設けることを特徴とする請求項１および２記載の釣針外し具。
【請求項４】
前記糸掛け、前記針掛け、前記糸案内、前記軸、前記糸止め、の少なくともいずれか一つが着脱可能に、もしくは長さ、位置、方向が調整可能に設けられていることを特徴とする請求項１〜３のいずれかに記載の釣針外し具。
【請求項５】
前記着脱可能な前記糸掛け、前記針掛け、前記糸案内、前記軸、前記糸止め、の少なくともいずれか一つが把手内に設けられた空洞に収納可能であることを特徴とする請求項４記載の釣針外し具。
【発明の詳細な説明】
【技術分野】
【０００１】
本発明は、魚体を把持することなく魚の口に掛かった釣針を外すことができる釣針外し具に関するものである。
【背景技術】
【０００２】
従来の釣針外し具には、魚体を把持することなく魚の口に掛った釣針を外すことができる釣針外し具が既にいくつか開発されているが、これらの釣針外し具は、釣糸を把持し釣り上げた魚を吊下げておき、釣針外し具を操作して釣針を回転させ、針先を横方向または下方へ向け魚の自重を利用して外すものである。（例えば、特許文献１〜３参照）
【０００３】
図７は特許文献１記載の従来の釣針外し具の構造及び使用方法を説明するための斜視図である。この釣針外し具は、十手形をした釣針外し具であり、握り部分１と、棒２と、かぎ棒３と、つめ４と、で構成されており、その使用方法は、図７（イ）に示すように、釣針７を十手の棒２に掛けて釣糸５を水平に引くと釣針７は回転し針先は横方向を向き、十手を外側へ回転させると、十手のもう一方のかぎ棒３が魚６の頭部に当たり、魚６が回転して釣針７のカエシに掛った部分が切れ、魚６が釣針７から外れ落ちるのである。
【０００４】
また、特許文献２は、図面を省略するが、特許文献１の十手形釣針外し具の棒３に相当する部分に、釣針７を掛ける位置が特定されるように屈曲部を設けたものであり、さらに、特許文献１の十手形釣針外し具のかぎ棒２に相当する部分を魚の胴部に当たるように湾曲させたものであり、使用方法も十手形釣針外し具とほぼ同様である。
【０００５】
また、特許文献３の釣針外し具は、釣針を釣針外し具で挟んで回転させ、針先を下方へ向けて、魚の自重により外すものである。以上のように従来の釣針外し具は、いずれも釣針外し具を操作して釣針の針先を下方へ向けて、魚の自重によって魚が釣針から外れ落ちようにした釣針外し具が提案されている。
【先行技術文献】
【特許文献】
【０００６】
【特許文献１】実開昭４９-３７４６５号公報
【特許文献２】特開平４−２３７４４８号公報
【特許文献３】特開２００５−１４３４１６号公報
【発明の概要】
【発明が解決しようとする課題】
【０００７】
以上に述べた従来技術の釣針外し具、例えば、特許文献１、２の釣針外し具で魚の口に掛った釣針を外すには、口の柔らかい魚の場合、例えばアジやイワシなどは、釣針の針先を横に向けるだけで魚の自重により外れるが、釣針にはカエシがあるため口の硬い魚の場合、例えば鯛やササベラなどは、図７（ロ）に示すように、釣針７から魚６が外れ落ちそうになるが、釣針７のカエシに掛った部分が切れないために魚６は回転し、横向きとなってしまい外れないことがある。そのため、魚６を外すには、釣針７から魚６が外れる方向即ち矢印で示す針先方向に働く強い力が必要となるため、図７（ハ）に示すように、釣糸５を下方へ引いて針先を下方へ向け、魚６の自重が針先方向へ向くようにしなければならず、この時、釣糸５を引く手は、魚６より下方にあるため、魚６が暴れた場合は、魚６が落下する際手に当たることがあり、鋭い歯を持つ魚やトゲに毒を持つオコゼの様な魚であれば手に怪我を負う危険性がある。
【０００８】
また、特許文献３の釣針外し具を用いて、口の硬い魚、例えば鯛やササベラなどの口に掛った釣針を外す場合は、単に針先を下方へ向けただけでは外れないことが多く、魚の自重以外にも釣針のカエシに掛った部分を引き裂く強い力が必要となるが、その力を安定して加える機能が備わっていなかった。
【０００９】
さらに、投入口が小さいクーラーボックスやビクなどの収容容器内に口の硬い魚を落とし込む場合は、魚と釣針外し具を投入口内へ差し込んで魚を外すことができないため、投入口上で魚が暴れると横に跳ね、確実に収容容器内に投入することが難しかった。
【００１０】
また、釣り上げた魚は、激しく暴れ、方々へ跳ね回るため、釣針外し具に釣針や魚を確実に装着することは難しく、何度もやり直すか、おとなしくなるまで待たなければならなかった。
【００１１】
本発明は、上記従来の釣針外し具の課題を解決するために為されたもので、暴れる魚も魚に触れることなく魚の口に掛った釣針を安全で迅速且つ容易で確実に外すことができると共に、魚に触れることなく収容容器内へ魚を投入することができる釣針外し具を提供することを目的とする。
【課題を解決するための手段】
【００１２】
上記目的を達成するために、本発明にかかる一つの態様によれば釣針外し具は、棒状の把手を備え、この把手の長軸方向と角度をもって軸を突出して設け、この軸の先端側には釣針および釣糸を掛けることが可能な凹部を有する糸掛けを設け、かつ、この糸掛けの凹部の開放側は軸の先端方向を向いており、さらに、軸には、軸の先端と付け根の間に釣針および釣糸を掛けることが可能な凹部を有する針掛けを設け、かつ、この針掛けの凹部の開放側は軸の先端方向とは逆方向を向いて設けていることを特徴とする。
【００１３】
上記釣針外し具には、さらに、把手の先端側位置、または軸の付け根側位置に、釣糸を掛けることが可能な糸案内を設けることができる。
【００１４】
上記釣針外し具には、さらに、把手の先端側位置、または軸の付け根側位置に、釣糸を固定することができる糸止めを設けることができる。
【００１５】
上記釣針外し具には、さらに、糸掛け、針掛け、糸案内、軸、糸止め、の少なくともいずれか一つが着脱可能に、もしくは長さ、位置、方向が調整可能に設けることができる。
【００１６】
上記釣針外し具は、さらに、着脱可能な糸掛け、針掛け、糸案内、軸、糸止め、の少なくともいずれか一つが把手内に設けられた空洞に収納可能である。
【００１７】
本発明の釣針外し具に設けた針掛けに針掛かりした魚と一緒に釣針を掛止し、釣針外し具を回転させて釣針の針先を下向きにし、釣針外し具を上下に素早く振って魚に下向きの強い力を加え振り落とす。
【００１８】
この時、把手を握る手と釣糸を把持する手は、魚から離れており、かつ上方に位置するため魚が手に接触する危険性が無く、さらに、収容容器内に魚と釣針外し具の一部を挿入して魚を外すことができるため、安全で素早くかつ容易で確実に魚を収容容器内へ振り落とすことができる。また、本釣針外し具の構造は、簡単で釣針や釣糸を容易に装着でき、操作が簡単なため、魚が暴れている場合でも使用することができる。以上のことから本釣針外し具を提供することで上記課題を解決しようとするものである。
【発明の効果】
【００１９】
以上説明してきたように、本発明の釣針外し具にあっては、口に深く針掛かりした魚も口が硬くて外し難い魚も、暴れる魚も、魚体に触れることなく安全で迅速かつ容易で確実に釣針を外すことができ、さらに、投入口が小さな収容容器内へも魚を確実に落下させることができ、かつ、釣糸にテンションを掛けて作業するため釣糸がもつれることがなく、釣針から外れ落ちた魚を拾う必要もなく、手が汚れることもなく、魚の背ビレやトゲで怪我をすることもなく快適に釣針外し作業が出来る。さらに、構造が簡単で軽量、コンパクトであるため収納性および携帯性に優れており、安価に製造することができる。
【図面の簡単な説明】
【００２０】
【図１】本発明の実施の形態の釣針外し具の斜視図である。
【図２】本発明の実施の形態の釣針外し具の使用方法を説明する図である。
【図３】本発明の実施の形態の釣針外し具の使用方法を説明する図である。
【図４】本発明の実施の形態の釣針外し具の使用方法を説明する図である。
【図５】本発明の実施の形態の釣針外し具の使用方法を説明する図である。
【図６】本発明の実施の形態の釣針外し具のさらに他の例を示す図である。
【図７】従来の釣針外し具を使用した場合の動作を示す参考図である。
【発明を実施するための形態】
【００２１】
以下、本発明の実施の形態を図面に基づいて説明する。
図１は、本発明の実施の形態の釣針外し具の例を示す斜視図であり、図２〜図５は、本実施の形態の釣針外し具の使用方法を説明する図であり、図６（イ）は、本発明の実施の形態の釣針外し具の他の例を示す図であり、図６（ロ）は本発明の実施の形態の糸止めの他の例を示す図である。
【００２２】
図１に示すように、本実施の形態の釣針外し具の構成は、把手４と、糸止め７と、からなる把手部と、糸掛け１と、針掛け２と、糸案内３と、基幹５と、軸６と、からなる操作部で構成されている。
【００２３】
続いて、本実施の形態の釣針外し具の部材について説明する。まず、把手４の材料は、木材や合成樹脂、アルミニウムパイプなどの軽量で加工し易い素材を用いており、操作部の材料は、例えばステンレス鋼あるいはチタン線材を用い、針掛け２は直径１．６ｍｍ程度の線材を用いており、糸掛け１と、糸案内３と、基幹５と、軸６と、は直径２．６ｍｍ程度の線材を用い、糸止め７は、厚さ１ｍｍ程度のステンレス鋼あるいはチタン板材を用いている。
【００２４】
引き続き、本実施の形態の釣針外し具の各部の形状および取り付けについて説明する。図１に示す釣針外し具の把手４は、直径２５ｍｍ程度で、長さが２５０ｍｍ程度の丸棒状に成形されており、基幹５は、長さ２０ｍｍ程度の直線状に成形され、把手４の先端に把手４の長軸方向に突出して設けられ、また、軸６は、長さ１５０ｍｍ程度の直線状に成形され、把手４の長軸方向に対し約３０度〜約１５０度の範囲で基幹５の先端側に設けられている。
【００２５】
また、針掛け２の凹部２ａの曲げ半径は２ｍｍ程度であり、２０ｍｍ程度の深さを有し、１３ｍｍ程度の開口幅に形成され、凹部２ａの開放側は、軸６の付け根６ｂの方向を向いて軸６のほぼ中央に設けられている。また、糸掛け１の凹部１ａの曲げ半径は、７ｍｍ程度であり、１５ｍｍ程度の深さを有し、１５ｍｍ程度の開口幅に成形され、凹部１ａの開放側は、軸６の先端６ａの方向を向いて軸６の先端６ａに設けられている。さらに、糸掛け１と針掛け２は、釣針の長さ以上の間隔をおいて、いずれも軸６の側端にあり、かつ把手４の長軸先端方向側に設けられている。
【００２６】
また、糸案内３の凹部３ａは、開口幅が１５ｍｍ程度で、１０ｍｍ程度の深さを有し、凹部３ａの開放側は、基幹５の先端方向を向いて基幹５の先端側に設けられている。また、糸止め７は、長さが５０ｍｍ程度で、幅が２３ｍｍ程度であり、１枚の板を半分に折り曲げて重ね合わせ、折り曲げられた側とは反対側の先端から８ｍｍ程度の位置で２枚を押し開くように曲げ、釣糸Ｌを食い込ませることが可能なクサビ形の溝７ａを形成し、この溝７ａの間隔を調整する調節ネジ９が設けられており、把手４の先端側に設けられている。
【００２７】
以下、図２〜図５に基づいて本実施の形態の釣針外し具の使用方法について説明する。図２（イ）に示すように、一方の手Ｈ１で釣糸Ｌを把持し釣上げた魚Ｆを吊下げてイケスやビク、クーラーボックス、バケツなどの収容容器Ｂの投入口内に入れ、他方の手Ｈ２で釣針外し具の把手４を握って軸６及び把手４がほぼ水平になるように構え、釣糸Ｌに針掛け２の凹部２ａを掛ける。
【００２８】
次に、図２（ロ）に示すように、釣針外し具を下降させ針掛け２の凹部２ａに釣針Ｔを掛止する。続いて、図３（イ）に示すように釣糸Ｌのテンションを保持しつつ、釣糸Ｌを水平に引くと共に、把手４の長軸を回転軸として釣針外し具を少し右回転させ、糸掛け１が釣糸Ｌより上方へ位置する状態にする。
【００２９】
次に、図３（ロ）に示すように把手４の長軸を回転軸として釣針外し具を左回転させながら糸掛け１の凹部１ａへ釣糸Ｌを掛け、さらに回転を続け、軸６の先端６ａが下方へ向くようにすると共に、操作部を投入口内へ挿入すると図４（イ）に示す状態になる。このとき釣針Ｔから延びている釣糸Ｌの方向が真下方向へ向き、それに伴い釣針Ｔの針先も下方へ向く状態が形成され、イワシやアジなどの口の柔らかい魚や針掛かりが浅い魚は、釣針Ｔから外れて落下するが、釣糸Ｌを引く手Ｈ１と把手４を握る手Ｈ２とは、魚Ｆより上方に位置し、魚Ｆが落下しても双方の手に魚が触れることはない。
【００３０】
しかし、釣針Ｔにはカエシが設けられており、口の硬い魚Ｆは、釣針Ｔから外れ難いため、図４（ロ）に示すように糸掛け１から折り返す釣糸Ｌを糸案内３に掛け、さらに、釣糸Ｌに充分テンションを掛けたまま糸止め７の溝７ａに食い込ませ、釣針外し具を持つ手Ｈ２の横へ揃えて、釣針外し具を勢いよく上下に振って魚Ｆを振り落とすのであるが、外れ難い場合は、把手の長さを長くしておけば振る速さが速くなり魚に大きな下向きの力を加えることができる。
【００３１】
魚を振り落とす時、糸案内３から延びる釣糸Ｌは、テンションが緩まないように糸止め７の溝７ａに食い込ませて固定しており、対象魚が大きく重い時には、調節ネジ９を回して締め付けることで挟持力を増強し、緩むことを防止している。もし、釣糸Ｌのテンションが緩むと針掛け２に掛けた釣針Ｔは、魚Ｆの自重により回転し、針先が上方へ向くため魚Ｆを外せなくなるので釣糸Ｌのテンション維持は重要である。さらに、糸掛け１から延びる釣糸Ｌは、軸６に沿っており、釣糸Ｌが収容容器Ｂに接触することなく、収容容器Ｂ内まで操作部を挿入して上下に振れるため、魚Ｆが暴れた場合でも横へ飛び出すことを防止できる。
【００３２】
以上のように、本発明の実施の形態を説明してきたが、本発明の具体的構成は本実施の形態に限定されるものではなく、発明の要旨を逸脱しない範囲の設計変更などがあっても本発明に含まれる。さらに、本実施の形態の釣針外し具を構成する部材の素材、厚み、直径、長さ、間隔、取り付け位置、取り付け角度及び数量などについては適宜設定することができる。例えば、素材としては、鉄、鋼、ステンレス、チタン、チタン合金、アルミニウム、アルミニウム合金、銅、銅合金、等の金属や、木、竹、セラミック、合成樹脂、カーボン、ガラスなど使用する場所に求められる特性に応じ適宜の材料を使用することができる。
【００３３】
また、軸６および糸案内３の取り付け方向は、把手４の長軸方向に対して直角が好ましいが、必ずしも直角に限定するものではなく傾斜していてもよい。また、糸案内３の凹部３ａの開放側は、必ずしも基幹５の先端方向を向いている必要はなく、釣糸Ｌが糸案内３から外れなければどの方向を向いていてもよい。また、基幹５は、把手４のどの位置にあってもよく、さらに取り付け方向がどの方向を向いていてもよい。また、軸６と基幹５の形状も必ずしも直線状に限定するものではなく他の形状でもよく、さらに、糸掛け１と、針掛け２と、糸案内３の形状は釣糸Ｌや釣針Ｔを掛けることができ、振っても外れ難い形状であればどのような形状でもよく、例えば単なる棒状の突起でもよい。また、糸止め７は折り曲げた形以外に、２枚の板を重ね合わせた形でもよい。
【００３４】
さらに、構造としては、どのような使用方法にも、また右利きや左利きにも対応可能とするため、糸掛け１と、針掛け２と、糸案内３と、軸６と、糸止め７とは、形状や取り付け位置及び角度を変更し、また増設することも可能であり、把手４の長さは、口が柔らかく外れやすい魚用の場合は、操作性、携行性を高めるために短くし、口の硬い魚用には、強く振ることができるよう長めにし、長さを自由に設定できるような伸縮型や連結型にしてもよい。さらに、把手４の形状は、丸棒に限らず持ちやすい形状に成形し、滑り止めとしてゴムやウレタン素材で被覆してもよい。
【００３５】
なお、製造コストの低減や強度向上のために基幹５を省略することも可能であり、その場合、例えば、糸案内３を直接把手４の先端側あるいは軸６の付け根６ｂ側に設けてもよい。また、糸案内３を省略し、糸止め７が糸案内３を兼ねるようにしてもよい。また、糸止め７のビス８、調節ネジ９を省略してもよい。また、糸案内３の凹部３ａを省略し単なる棒状突起として、把手４の先端側あるいは軸６の付け根６ｂから、軸６を延長する方向へ設けてもよい。この場合の糸掛け１と、針掛け２と、糸案内３は、すべて同一面上にあるため、部材は、線材ではなく、板材をプレス機などで型抜きして量産することも可能であり、また、合成樹脂による一体成型でもよい。また、楽しい釣針外し具にするために、例えば操作部を動物の形状に成形したものや、キャラクターなどをあしらったものや、本釣針外し具を振ると動物の鳴き声や楽しい音などが出るようにしてもよい。また、本釣針外し具に着色してカラフルにしたり、操作部にメッキを施して防錆性・装飾性を加えたりすることも可能である。また、釣れた魚の数量をカウントできるカウンターなどを備えてもよい。
【００３６】
また、使用方法は、前記の使用方法に限らず適宜使用方法を変更してもよい。例えば、釣針外し具に釣糸Ｌを掛ける手順は、図２(イ)、(ロ)に示すように針掛け２に釣針Ｔを掛止し、図３（イ）に示すように、糸掛け１を釣糸Ｌの上方から掛けてもよく、あるいは下方から掛けてもよい。また、船のイケスなど投入口が広い場合は、糸掛け１と針掛け２を逆にして使うことも可能であり、釣針外し具を図５(イ)に示すように、釣針Ｔを糸掛け１に掛け、釣針外し具を回転させながら釣針Ｔから延びる釣糸Ｌを針掛け２に掛け、さらに回転させ糸掛け１が上を向く状態にし、針掛け２から釣糸Ｌを持つ手Ｈ１へ延びる釣糸Ｌが水平方向になるように釣糸Ｌを引き、釣針外し具を上下に振って魚Ｆを外すことも出来る。
【００３７】
あるいは、糸掛け１に釣針Ｔを掛け、釣針Ｔから延びる釣糸Ｌを糸案内３に掛け、さらに、糸止め７に挟んで釣針外し具を回転させて釣針Ｔの針先を下方へ向け、振り落としてもよい。さらに、図５(ロ)に示すように、片方の手Ｈ１で釣竿を持ったまま釣糸Ｌを持ち、釣針外し具を他方の手Ｈ２で握って操作し釣針Ｔを外すこともできるため、手返しを速くすることが可能である。
【００３８】
また、図６（イ）は、本発明の実施の形態の釣針外し具の他の例を示す図であり、これまでと同じ部材には同じ符号を付してある。これまでの実施の形態の釣針外し具は、一体構造として説明したが、この他の例の釣針外し具は、一体構造ではなく各部材に分解でき、止めネジ１１やクランプ１２等を用いて取り付け位置や長さ、角度、方向を自由に可変設定できるような構造であり、各部材は、形状や大きさ、長さの違う部品を用意しておき目的や使用状況に合わせて交換でき、さらに把手４の後端部にはキャップ１３があり、このキャップ１３を取ると把手４には空洞が設けられており、この空洞内に分解した軸６や針掛け２などの部材を収納することが可能な組立て式釣針外し具である。
【００３９】
この組立て式釣針外し具の組立て方は、まず軸６は、収容容器内に深く差し込んで使用する場合は突き出し長さを長くして基幹５に取り付け、針掛け２の位置は、釣針Ｔやハリスの長さに応じて軸６の中ほどに取り付け、糸掛け１を軸６の先端に取り付ける。さらに、基幹５の設定角度は、収容容器の投入口に操作部を差し込んだ時の軸の長軸方向が鉛直になるように設定し、把手４の長さは、強く振る時は長く設定し、糸案内３は、右手で把手を握る場合は基幹５の左側に取り付け、左手の場合は反対側に取り付ける。
【００４０】
図６（ロ）は、糸止め７のさらに他の例を示す図であり、その構造は、図６（ロ）に示すように、２枚の板を重ね合わせ、各板の周辺を外側へ押し広げるように曲げて、２枚の板の間に釣糸Ｌを食い込ませることが可能なクサビ形の溝７ａを形成し、一方の板の中央にビス８を固定し、他方の板の中央に穴を開けこの穴にビスを通し、さらに、バネ１０をビスに通し、調節ネジ９をねじ込んで２枚の板をバネ１０の力で押付け、調節ネジ９を回転させてバネ１０の押付け力を調節できる構造にすることも可能である。この２枚の板の形状は円形や四角形に限らずどのような形状でもよく、また、ビス取り付け位置は、端、中央、その他どこであってもよい。この構造の糸止めの特徴は、挟み込んだ釣糸Ｌの太さや魚の重さに適した摩擦力が得られ、また、あらゆる方向から釣糸を挟み込める上、巻き付けることも可能なため汎用性が高い。
【００４１】
この他の糸止めの構造としては、摩擦係数が大きい素材や弾力を有するや素材用いて、例えば棒状のゴムやビニールなどに釣糸Ｌを食い込ませることが可能なクサビ形の溝を螺旋状に設け、この溝に釣糸Ｌを食い込ませるように巻きつけて固定できる構造であってもよい。
【産業上の利用可能性】
【００４２】
本発明の釣針外し具は、釣針外し具の製造・販売・使用を含む漁業、レジャーの産業分野において広く利用することができる。
【符号の説明】
【００４３】
１    糸掛け
１ａ  糸掛けの凹部
２    針掛け
２ａ  針掛けの凹部
３    糸案内
３ａ  糸案内の凹部  
４    把手
５    基幹
６    軸
６ａ  軸の先端
６ｂ  軸の付け根
７    糸止め
７ａ  糸止めの溝
８    ビス
９    調節ネジ
１０  バネ
１１  止めネジ
１２  クランプ
１３  キャップ
Ｂ    収容容器
Ｆ    魚
Ｈ１、Ｈ２  手
Ｌ    釣糸
Ｔ    釣針
【図１】
2012157318.tif 000003
【図２】
2012157318.tif 000004
【図３】
2012157318.tif 000005
【図４】
2012157318.tif 000006
【図５】
2012157318.tif 000007
【図６】
2012157318.tif 000008
【図７】
2012157318.tif 000009
【手続補正書】
【提出日】平成24年6月1日(2012.6.1)
【手続補正１】
【補正対象書類名】特許請求の範囲
【補正対象項目名】請求項３
【補正方法】変更
【補正の内容】
【請求項３】
前記把手の先端側位置、または、前記軸の付け根側位置に、釣糸を固定することが可能な糸止めを設けることを特徴とする請求項１又は２記載の釣針外し具。
【手続補正２】
【補正対象書類名】特許請求の範囲
【補正対象項目名】請求項４
【補正方法】変更
【補正の内容】
【請求項４】
請求項１に記載の釣針外し具において、前記糸掛け、前記針掛け、前記軸、請求項２に記載の釣針外し具において、前記糸掛け、前記針掛け、前記軸、及び前記糸案内、又は請求項３に記載の釣針外し具において、前記糸掛け、前記針掛け、前記軸、前記糸案内、及び前記糸止め、のうち少なくともいずれか一つが着脱可能に、もしくは長さ、位置、及び方向のうち少なくともいずれか一つが調整可能に設けられていることを特徴とする釣針外し具。